【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
装置であって、
同時に送られる複数の送信信号の同相（Ｉ）成分および直交（Ｑ）成分に基づいて電力トラッキング信号を決定するように構成された電力トラッカーと、
前記電力トラッキング信号に基づいて電力供給電圧を生成するように構成された電力供給ジェネレータと、
前記電力供給電圧に基づいて、前記複数の送信信号すべてを増幅し、出力ＲＦ信号を提供するように構成された電力増幅器（ＰＡ）と、
を備える、装置。
【請求項２】
前記電力トラッカーは、
前記複数の送信信号の前記Ｉ成分およびＱ成分に基づいて前記複数の送信信号の全体の電力を決定することと、
前記複数の送信信号の前記全体の電力に基づいて前記電力トラッキング信号を決定することと、
を行うように構成される、請求項１に記載の装置。
【請求項３】
前記電力トラッカーは、
前記送信信号のＩ成分およびＱ成分に基づいて前記複数の送信信号における各送信信号の電力を決定することと、
前記複数の送信信号の電力に基づいて前記電力トラッキング信号を決定することと、
を行うように構成される、請求項１に記載の装置。
【請求項４】
前記電力トラッカーは、
前記送信信号のＩ成分およびＱ成分に基づいて前記複数の送信信号における各送信信号の電力を決定することと、
前記送信信号の前記電力に基づいて各送信信号の電圧を決定することと、
前記複数の送信信号の電圧に基づいて前記電力トラッキング信号を決定することと、
を行うように構成される、請求項１に記載の装置。
【請求項５】
前記複数の送信信号の前記Ｉ成分およびＱ成分を受信し、複数のアップコンバートされたＲＦ信号を提供するように構成された複数の送信回路と、ここで、各送信回路は、前記複数の送信信号のうちの１つの信号のＩ成分およびＱ成分をアップコンバートし、対応するアップコンバートされたＲＦ信号を提供するように構成される、
前記複数のアップコンバートされたＲＦ信号を合計し、変調されたＲＦ信号を提供するように構成された加算器と
をさらに備える、請求項１に記載の装置。
【請求項６】
前記複数の送信信号についての変調された中間周波数（ＩＦ）信号を受信し、変調されたＲＦ信号を提供するように構成された送信回路
をさらに備え、
前記変調されたＩＦ信号は、前記複数の送信信号の前記Ｉ成分およびＱ成分に基づいて生成される、
請求項１に記載の装置。
【請求項７】
前記電力供給ジェネレータは、
前記電力トラッキング信号を受信し、前記電力供給電圧を生成するように構成された電力トラッキング増幅器
を備える、請求項１に記載の装置。
【請求項８】
前記電力供給ジェネレータはさらに、
前記電力トラッキング増幅器からの第１の電流を感知し、前記感知された第１の電流に基づいて前記電力供給電圧のために第２の電流を提供するように構成されたスイッチャ
を備える、請求項７に記載の装置。
【請求項９】
前記電力供給ジェネレータはさらに、
バッテリ電圧を受信し、前記電力トラッキング増幅器のためにブーストされた電圧を提供するように構成されたブーストコンバータ
を備える、請求項７に記載の装置。
【請求項１０】
前記電力トラッキング増幅器は、前記ブーストされた電圧または前記バッテリ電圧に基づいて動作する、請求項９に記載の装置。
【請求項１１】
前記複数の送信信号は、異なる周波数において複数のキャリア上で送られる、請求項１に記載の装置。
【請求項１２】
前記電力トラッキング信号は、前記複数のキャリアの全体の帯域幅よりも小さい帯域幅を有する、請求項１１に記載の装置。
【請求項１３】
方法であって、
同時に送られる複数の送信信号の同相（Ｉ）成分および直交（Ｑ）成分に基づいて電力トラッキング信号を決定することと、
前記電力トラッキング信号に基づいて電力供給電圧を生成することと、
前記複数の送信信号すべての前記Ｉ成分およびＱ成分に基づいて変調された無線周波数（ＲＦ）信号を生成することと、
出力ＲＦ信号を得るために、前記電力供給電圧に基づいて動作する電力増幅器（ＰＡ）を用いて前記変調されたＲＦ信号を増幅することと、
を備える、方法。
【請求項１４】
前記変調されたＲＦ信号を前記生成することは、
対応するアップコンバートされたＲＦ信号を得るために、前記複数の送信信号の各々のＩ成分およびＱ成分をアップコンバートすることと、
前記変調されたＲＦ信号を得るために、前記複数の送信信号についての複数のアップコンバートされたＲＦ信号を合計することと
を備える、請求項１３に記載の方法。
【請求項１５】
コンピュータプログラム製品であって、
少なくとも１つのコンピュータに、請求項１３乃至１４のうちのいずれか１項の方法を実行することを行わせるためのコード
を備える非一時的なコンピュータ読取可能媒体、
を備える、コンピュータプログラム製品。
【手続補正２】
【補正対象書類名】明細書
【補正対象項目名】００８０
【補正方法】変更
【補正の内容】
【００８０】
[0084]  本開示の先の説明は、当業者が本開示を実行または使用することを可能にするために提供される。本開示への様々な修正は、当業者にとって容易に明らかであり、本明細書に定義された一般的な原理は、本開示の範囲から逸脱することなく、他のバリエーションにも適用され得る。よって、本開示は、本明細書で説明される例および設計に限定されることを意図するものではなく、本明細書で開示される原理および新規な特徴と合致する最も広い範囲が与えられるべきものである。
以下に、本願出願の当初の特許請求の範囲に記載された発明を付記する。
［Ｃ１］ 装置であって、
同時に送られる複数の送信信号の同相（Ｉ）成分および直交（Ｑ）成分に基づいて電力トラッキング信号を決定するように構成された電力トラッカーと、
前記電力トラッキング信号に基づいて電力供給電圧を生成するように構成された電力供給ジェネレータと
を備える、装置。
［Ｃ２］ 前記電力トラッカーは、
前記複数の送信信号の前記Ｉ成分およびＱ成分に基づいて前記複数の送信信号の全体の電力を決定することと、
前記複数の送信信号の前記全体の電力に基づいて前記電力トラッキング信号を決定することと、
を行うように構成される、Ｃ１に記載の装置。
［Ｃ３］ 前記電力トラッカーは、
前記送信信号のＩ成分およびＱ成分に基づいて前記複数の送信信号における各送信信号の電力を決定することと、
前記複数の送信信号の電力に基づいて前記電力トラッキング信号を決定することと、
を行うように構成される、Ｃ１に記載の装置。
［Ｃ４］ 前記電力トラッカーは、
前記送信信号のＩ成分およびＱ成分に基づいて前記複数の送信信号における各送信信号の電力を決定することと、
前記送信信号の前記電力に基づいて各送信信号の電圧を決定することと、
前記複数の送信信号の電圧に基づいて前記電力トラッキング信号を決定することと、
を行うように構成される、Ｃ１に記載の装置。
［Ｃ５］ 前記電力供給電圧に基づいて、変調された無線周波数（ＲＦ）信号を増幅し、出力ＲＦ信号を提供するように構成された電力増幅器（ＰＡ）
をさらに備える、Ｃ１に記載の装置。
［Ｃ６］ 前記複数の送信信号の前記Ｉ成分およびＱ成分を受信し、複数のアップコンバートされたＲＦ信号を提供するように構成された複数の送信回路と、ここで、各送信回路は、前記複数の送信信号のうちの１つの信号のＩ成分およびＱ成分をアップコンバートし、対応するアップコンバートされたＲＦ信号を提供するように構成される、
前記複数のアップコンバートされたＲＦ信号を合計し、前記変調されたＲＦ信号を提供するように構成された加算器と
をさらに備える、Ｃ５に記載の装置。
［Ｃ７］ 前記複数の送信信号についての変調された中間周波数（ＩＦ）信号を受信し、前記変調されたＲＦ信号を提供するように構成された送信回路
をさらに備え、
前記変調されたＩＦ信号は、前記複数の送信信号の前記Ｉ成分およびＱ成分に基づいて生成される、
Ｃ５に記載の装置。
［Ｃ８］ 前記電力供給ジェネレータは、
前記電力トラッキング信号を受信し、前記電力供給電圧を生成するように構成された電力トラッキング増幅器
を備える、Ｃ１に記載の装置。
［Ｃ９］ 前記電力供給ジェネレータはさらに、
前記電力トラッキング増幅器からの第１の電流を感知し、前記感知された第１の電流に基づいて前記電力供給電圧のために第２の電流を提供するように構成されたスイッチャ
を備える、Ｃ８に記載の装置。
［Ｃ１０］ 前記電力供給ジェネレータはさらに、
バッテリ電圧を受信し、前記電力トラッキング増幅器のためにブーストされた電圧を提供するように構成されたブーストコンバータ
を備える、Ｃ８に記載の装置。
［Ｃ１１］ 前記電力トラッキング増幅器は、前記ブーストされた電圧または前記バッテリ電圧に基づいて動作する、Ｃ１０に記載の装置。
［Ｃ１２］ 前記複数の送信信号は、異なる周波数において複数のキャリア上で送られる、Ｃ１に記載の装置。
［Ｃ１３］ 前記電力トラッキング信号は、前記複数のキャリアの全体の帯域幅よりも小さい帯域幅を有する、Ｃ１２に記載の装置。
［Ｃ１４］ 方法であって、
同時に送られる複数の送信信号の同相（Ｉ）成分および直交（Ｑ）成分に基づいて電力トラッキング信号を決定することと、
前記電力トラッキング信号に基づいて電力供給電圧を生成することと
を備える、方法。
［Ｃ１５］ 前記電力トラッキング信号を前記決定することは、
前記複数の送信信号の前記Ｉ成分およびＱ成分に基づいて前記複数の送信信号の全体の電力を決定することと、
前記複数の送信信号の前記全体の電力に基づいて前記電力トラッキング信号を決定することと、
を備える、Ｃ１４に記載の方法。
［Ｃ１６］ 前記電力トラッキング信号を前記決定することは、
前記送信信号のＩ成分およびＱ成分に基づいて前記複数の送信信号における各送信信号の電力を決定することと、
前記複数の送信信号の電力に基づいて前記電力トラッキング信号を決定することと、
を備える、Ｃ１４に記載の方法。
［Ｃ１７］ 前記複数の送信信号の前記Ｉ成分およびＱ成分に基づいて変調された無線周波数（ＲＦ）信号を生成することと、
出力ＲＦ信号を得るために、前記電力供給電圧に基づいて動作する電力増幅器（ＰＡ）を用いて前記変調されたＲＦ信号を増幅することと
をさらに備える、Ｃ１４に記載の方法。
［Ｃ１８］ 前記変調されたＲＦ信号を前記生成することは、
対応するアップコンバートされたＲＦ信号を得るために、前記複数の送信信号の各々のＩ成分およびＱ成分をアップコンバートすることと、
前記変調されたＲＦ信号を得るために、前記複数の送信信号についての複数のアップコンバートされたＲＦ信号を合計することと
を備える、Ｃ１７に記載の方法。
［Ｃ１９］ 装置であって、
同時に送られる複数の送信信号の同相（Ｉ）成分および直交（Ｑ）成分に基づいて電力トラッキング信号を決定するための手段と、
前記電力トラッキング信号に基づいて電力供給電圧を生成するための手段と
を備える、装置。
［Ｃ２０］ 前記電力トラッキング信号を前記決定するための手段は、
前記複数の送信信号の前記Ｉ成分およびＱ成分に基づいて前記複数の送信信号の全体の電力を決定するための手段と、
前記複数の送信信号の前記全体の電力に基づいて前記電力トラッキング信号を決定するための手段と、
を備える、Ｃ１９に記載の装置。
［Ｃ２１］ 前記電力トラッキング信号を前記決定するための手段は、
前記送信信号のＩ成分およびＱ成分に基づいて前記複数の送信信号における各送信信号の電力を決定するための手段と、
前記複数の送信信号の電力に基づいて前記電力トラッキング信号を決定するための手段と、
を備える、Ｃ１９に記載の装置。
［Ｃ２２］ 前記複数の送信信号の前記Ｉ成分およびＱ成分に基づいて変調された無線周波数（ＲＦ）信号を生成するための手段と、
出力ＲＦ信号を得るために、前記電力供給電圧を使用して前記変調されたＲＦ信号を増幅するための手段と
をさらに備える、Ｃ１９に記載の装置。
［Ｃ２３］ 前記変調されたＲＦ信号を前記生成するための手段は、
対応するアップコンバートされたＲＦ信号を得るために、前記複数の送信信号の各々のＩ成分およびＱ成分をアップコンバートするための手段と、
前記変調されたＲＦ信号を得るために、前記複数の送信信号についての複数のアップコンバートされたＲＦ信号を合計するための手段と
を備える、Ｃ２２に記載の装置。
［Ｃ２４］ コンピュータプログラム製品であって、
少なくとも１つのコンピュータに、同時に送られる複数の送信信号の同相（Ｉ）成分および直交（Ｑ）成分に基づいて電力トラッキング信号の決定を指示することを行わせるためのコードと、
前記少なくとも１つのコンピュータに、前記電力トラッキング信号に基づいて電力供給電圧の生成を指示することを行わせるためのコードと
を備える非一時的なコンピュータ読取可能媒体、
を備える、コンピュータプログラム製品。